(57)【特許請求の範囲】
【請求項１】
使用者に電位を付与する電界発生用配線を内蔵した刺激付与用部材と、
前記刺激付与用部材が有する接続ケーブルと嵌合可能な第１コネクタおよび前記第１コネクタと同形状の第２コネクタと、
前記第１コネクタに接続された前記刺激付与用部材の前記電界発生用配線に、５０ｋＨｚから１００ｋＨｚの第１周波数による信号の一部または全部がマイナス電位にバイアスされた第１信号を出力する第１信号発生手段と、
前記第２コネクタに接続された前記刺激付与用部材の前記電界発生用配線に、前記第１周波数より高い３００ｋＨｚから４００ｋＨｚの第２周波数による信号の一部または全部がマイナス電位にバイアスされた第２信号を出力する第２信号発生手段とを備え、
前記刺激付与用部材は、
前記第１コネクタまたは前記第２コネクタのいずれかの一方に接続され、床に配置して使用者が仰臥した状態、または伏臥した状態で使用されるマットと、
前記第１コネクタまたは前記第２コネクタのいずれかの他方に接続され、使用者が手に持って体に当てる、またはバンドにより体に固定して使用されるパッドとを備えた電気刺激装置。
【請求項２】
前記第１信号発生手段または前記第２信号発生手段のいずれか一方、または両方は、前記第１周波数による振幅または第２周波数による振幅を変動させる機能を備えた請求項１記載の電気刺激装置。
【請求項３】
前記電界発生用配線による電波を受けて、前記電界発生用配線からの電波の発生を報知する報知手段を備えた請求項１または２記載の電気刺激装置。
【請求項４】
前記第１コネクタまたは前記第２コネクタに接続される前記刺激付与用部材に内蔵された発熱用配線に通電して、前記発熱用配線を温熱する温熱発生手段を、前記第１コネクタ用および前記第２コネクタ用として、いずれか一方、または両方に備えた請求項１から３のいずれかの項に記載の電気刺激装置。
【発明の詳細な説明】
【技術分野】
【０００１】
本発明は、電気的な刺激を人体に付与することで美容や健康の促進を図ることができる電気刺激装置に関するものである。
【背景技術】
【０００２】
電気刺激により美容や健康の促進を図る装置として、様々なものが開発されている。例えば、特許文献１に記載の高電位重畳治療装置は、昇圧変圧器の一次側回路に少なくとも周波数変換器を備えることにより、二次側回路に高電位重畳波を発生して、高電位重畳波を適宜人体に印加するようにしたものである。
【先行技術文献】
【特許文献】
【０００３】
【特許文献１】特開昭６２−４１６７０号公報
【発明の概要】
【発明が解決しようとする課題】
【０００４】
しかし、特許文献１に記載の高電位重畳治療装置は、使用者に高電圧を印加することで、血行促進や発汗促進が得られ、これらにより痩身効果などが期待できるが、使用者は更に様々な効果が得られるような付加価値の高い装置を望んでいる。
【０００５】
そこで本発明は、構成がシンプルでありながらも、様々な効果を得ることができる付加価値の高い電気刺激装置を提供することを目的とする。
【課題を解決するための手段】
【０００６】
本発明の電気刺激装置は、使用者に電位を付与する電界発生用配線を内蔵した刺激付与用部材と、前記刺激付与用部材が有する接続ケーブルと嵌合可能な第１コネクタおよび前記第１コネクタと同形状の第２コネクタと、前記第１コネクタに接続された前記刺激付与用部材の前記電界発生用配線に、５０ｋＨｚから１００ｋＨｚの第１周波数による信号の一部または全部がマイナス電位にバイアスされた第１信号を出力する第１信号発生手段と、前記第２コネクタに接続された前記刺激付与用部材の前記電界発生用配線に、前記第１周波数より高い３００ｋＨｚから４００ｋＨｚの第２周波数による信号の一部または全部がマイナス電位にバイアスされた第２信号を出力する第２信号発生手段とを備え、前記刺激付与用部材は、前記第１コネクタまたは前記第２コネクタのいずれかの一方に接続され、床に配置して使用者が仰臥した状態、または伏臥した状態で使用されるマットと、
前記第１コネクタまたは前記第２コネクタのいずれかの他方に接続され、使用者が手に持って体に当てる、またはバンドにより体に固定して使用されるパッドとを備えたことを特徴とする。
【０００７】
本発明の電気刺激装置によれば、第１信号発生手段が、第１コネクタに接続された刺激付与用部材の電界発生用配線に、第１周波数による信号の一部または全部がマイナス電位にバイアスした第１信号を出力する。また、第２信号発生手段が、第２コネクタに接続された刺激付与用部材の電界発生用配線に、第１周波数より高い第２周波数の信号の一部または全部がマイナス電位にバイアスされた第２信号を出力する。そのため、第１コネクタに接続された刺激付与用部材の電界発生用配線から、第１周波数の第１信号による電界というだけでなく、マイナスの電界を発生させることができる。また、第２コネクタに接続された刺激付与用部材の電界発生用配線から、第２周波数の第２信号による電界というだけでなくマイナスの電界を発生させることができる。
従って、第１信号発生手段が発生する第１信号および第２信号発生手段が発生する第２信号が、異なる周波数であり、それぞれがマイナス電位にバイアスされているため、異なる２種類の周波数による作用効果を、一人に使用者が同時に得たり、二人の使用者が、それぞれの周波数による作用効果を、それぞれに得たりすることができ、更に、同時にマイナスの電界による作用効果も得ることができる。
また、第１コネクタと第２コネクタとが同形状に形成されているため、使用者は第１信号による作用効果を得ようと思えば刺激付与用部材を第１コネクタに、第２信号による作用効果を得ようと思えば刺激付与用部材を第２コネクタに接続することで、簡単に切り替えることができる。
【０００８】
前記第１信号発生手段または前記第２信号発生手段のいずれか一方、または両方は、前記第１周波数による振幅または第２周波数による振幅を変動させる機能を備えることができる。第１信号または第２信号の振幅が変動することで、使用者は、更に、マッサージ効果を同時に得ることができる。
【０００９】
前記電界発生用配線による電波を受けて、前記電界発生用配線からの電波の発生を報知する報知手段を備えることができる。報知手段が電界発生用配線からの電波を受けて電界発生用配線から電界が発生していることを使用者に報知することができるので、本発明の電気刺激装置が正常に動作していることを確認することができる。  
【００１０】
前記第１コネクタまたは前記第２コネクタに接続される前記刺激付与用部材に内蔵された発熱用配線に通電して、前記発熱用配線を温熱する温熱発生手段を、前記第１コネクタ用および前記第２コネクタ用として、いずれか一方、または両方に備えることができる。温熱発生手段が刺激付与用部材に内蔵された発熱用配線に通電して温熱するため、使用者を温めることができる。
【発明の効果】
【００１１】
本発明の電気刺激装置によれば、異なる２種類の周波数による作用効果と、マイナスの電界による作用効果との両方を同時に得ることができ、第１信号による作用効果と第２信号による作用効果とが簡単に切り替えることができるため、構成がシンプルでありながらも、様々な効果を得ることができる付加価値の高いものとすることができる。
【図面の簡単な説明】
【００１２】
【図１】本発明の実施の形態に係る電気刺激装置の全体構成を示す図である。
【図２】図１に示す電気刺激装置の装置本体の構成を説明するためのブロック図である。
【図３】図１に示す電気刺激装置の装置本体の正面図である。
【図４】図１に示す電気刺激装置の装置本体の右側面図である。
【図５】図１に示す電気刺激装置のメインマットの配線を説明するための図である。
【発明を実施するための形態】
【００１３】
本発明の実施の形態に係る電気刺激装置を図面に基づいて説明する。
図１に示す本発明の実施の形態に係る電気刺激装置１０は、美容や健康の促進を図る装置として機能するものである。
電気刺激装置１０は、コントローラとなる装置本体２０と、装置本体２０の付属品である刺激付与用部材３０と、接続用ケーブル４０とを備えている。
【００１４】
図２に示すように、装置本体２０は、電源供給手段２１と、操作手段２２と、表示手段２３と、制御手段２４と、第１コネクタ用刺激発生手段２５と、第２コネクタ用刺激発生手段２６と、バイアス手段２７と、報知手段２８とが、筐体２９に格納されている。
【００１５】
図４に示すように、装置本体２０の右側面２０ａには、刺激付与用部材からの接続用ケーブル４０（図１参照）が嵌合する第１コネクタＣＮ１および第２コネクタＣＮ２が配置されている。また、図３に示すように、装置本体２０の天面２０ｂの左側には、電源スイッチ２１ａが配置されている。更に、装置本体２０の左側面２０ｃには、電源ケーブルが接続されるコネクタ（図示せず）が配置されている。
【００１６】
図２に示す電源供給手段２１は、電灯線に差し込まれた電源ケーブル（図示せず）が接続され、電源が供給される。電源供給手段２１は、電源スイッチ２１ａ（図３参照）により、各手段に電源を供給したり、供給を遮断したりする機能を有する。
【００１７】
操作手段２２は、装置本体２０のおもて面に配置されたキースイッチ群から構成される。
図３に示すように、キースイッチ群としては、装置本体２０による動作の始動・停止を指示するための始動停止指示用スイッチ２２１と、電気刺激装置１０を使用しながら睡眠する「おやすみモード」とするための睡眠時用スイッチ２２２と、タイマーの時間を設定するための時間設定用スイッチ２２３とを備えている。
【００１８】
また、キースイッチ群は、第１コネクタＣＮ１用として、第１信号の強度を設定するための第１信号強度設定用スイッチ２２４と、温熱用電流の強度を設定するための第１温熱強度設定用スイッチ２２５とを備えている。また、キースイッチ群は、第２コネクタＣＮ２用として、第２信号の強度を設定するための第２信号強度設定用スイッチ２２６と、温熱用電流の強度を設定するための第２温熱強度設定用スイッチ２２７とを備えている。更に、キースイッチ群は、第１コネクタＣＮ１と第２コネクタＣＮ２との共通用として、マイナス電位の強度を設定するためのマイナス電位強度設定用スイッチ２２８を備えている。
【００１９】
図２に示す表示手段２３は、装置本体２０のおもて面に配置されたＬＥＤ群および７セグメントＬＥＤから構成される。
図３に示すように、ＬＥＤ群としては、装置本体２０の始動・停止の状態を示す始動状態表示用ＬＥＤ２３１と、「おやすみモード」が有効か、または無効かを示す「おやすみモード」用ＬＥＤ２３２とを備えている。
また、ＬＥＤ群は、第１コネクタＣＮ１用として、第１信号の強度を４段階で示すために３個のＬＥＤにより構成された第１信号強度表示用ＬＥＤ２３３と、温熱用電流の強度を４段階で示すために３個のＬＥＤにより構成された第１温熱強度表示用ＬＥＤ２３４とを備えている。
また、ＬＥＤ群は、第２コネクタＣＮ２用として、第２信号の強度を４段階で示すために３個のＬＥＤにより構成された第２信号強度表示用ＬＥＤ２３５と、温熱用電流の強度を示す第２温熱強度表示用ＬＥＤ２３６とを備えている。
更に、ＬＥＤ群は、第１コネクタＣＮ１と第２コネクタＣＮ２との共通用として、マイナス電位の強度を４段階で示すために３個のＬＥＤにより構成されたマイナス電位強度表示用ＬＥＤ２３７を備えている。また、図１に示すメインマット３１およびパッド３３からの電波を受信して発光するセンサ用ＬＥＤ２３８が設けられている。
７セグメントＬＥＤとしては、タイマー時間を示すタイマー用表示部２３９を備えている。
【００２０】
図２に示す制御手段２４は、使用者が操作手段２２からの操作に基づいて、第１コネクタ用刺激発生手段２５と第２コネクタ用刺激発生手段２６とに指示したり、タイマー制御を行ったり、表示手段２３の各ＬＥＤランプの点灯を制御したりする機能を有している。
【００２１】
第１コネクタ用刺激発生手段２５は、第１信号発生手段２５１と、第１温熱発生手段２５２とを備えている。
【００２２】
第１信号発生手段２５１は、第１周波数の信号を発振し、この信号をバイアス手段２７からのバイアス電圧に基づいた電位に変圧し、第１信号として第１コネクタＣＮ１に出力する機能を備えている。第１周波数は、例えば、５０ｋＨｚから１００ｋＨｚの高周波の正弦波とすることができる。第１信号発生手段２５１は、制御手段２４からの指示により振幅を変更することができる。振幅の変更は、制御手段２４が「オフ」、「弱」、「中」、「強」の４段階で指示する。例えば、「弱」、「中」、「強」であれば、ｐ−ｐ値が約５００Ｖから約９５０Ｖまでの間で３段階に変化する。更に、第１信号発生手段２５１は、後述する「おやすみモード」のときに、周期的に振幅を変動させる機能を備えている。本実施の形態では、振幅のｐ−ｐ値が、３秒に１回、約３０％減少した後、元の振幅に戻るように変動する。
【００２３】
第１温熱発生手段２５２は、第１コネクタＣＮ１に接続されるメインマット３１またはパッド３３に内蔵された発熱用配線に通電して温熱する機能を備えている。
第１温熱発生手段２５２は、刺激付与用部材３０に内蔵された熱センサからの温度信号に応じて出力する制御手段２４からの指示により、発熱用配線への電流を通電したり遮断したりして温度を調整する。温度は、「弱」、「中」「強」の３段階から選択することができる。
【００２４】
第２コネクタ用刺激発生手段２６は、第２信号発生手段２６１と、第２温熱発生手段２６２とを備えている。
【００２５】
第２信号発生手段２６１は、第１周波数より高い第２周波数の信号を発振し、この信号をバイアス手段２７からのバイアス電圧に基づいた電位に変圧し、第２信号として第２コネクタＣＮ２に出力する機能を備えている。第２周波数は、例えば、３００ｋＨｚから４００ｋＨｚの正弦波とすることができる。第２信号発生手段２６１は、制御手段２４からの指示により振幅を変更することができる。振幅の変更は、制御手段２４が「オフ」、「弱」、「中」、「強」の４段階で指示する。例えば、「弱」、「中」、「強」であれば、ｐ−ｐ値が約４５０Ｖから約６５０Ｖまでの間で３段階に変化する。更に、第２信号発生手段２６１は、後述する「おやすみモード」のときに、周期的に振幅を変動させる機能を備えている。本実施の形態では、振幅のｐ−ｐ値が、３秒に１回、約２５％減少した後、元の振幅に戻るように変動する。
【００２６】
第２温熱発生手段２６２は、第２コネクタＣＮ２に接続されるメインマット３１またはパッド３３に内蔵された発熱用配線に通電して温熱する機能を備えている。
第２温熱発生手段２６２は、刺激付与用部材に内蔵された熱センサからの温度信号に応じて出力する制御手段２４からの指示により、発熱用配線への電流を通電したり遮断したりして温度を調整する。温度は、「弱」、「中」「強」の３段階から選択することができる。
【００２７】
バイアス手段２７は、第１信号発生手段２５１が発生する信号と、第２信号発生手段２６１が発生する信号とをマイナス電位にバイアスするための電圧を発生する機能を備えている。バイアス手段２７は、制御手段２４からの４段階の指示により、「オフ」、「弱」、「中」、「強」に切り替わる。例えば、「弱」、「中」、「強」であれば、約−１９０Ｖから約−４３０Ｖまでの間で、バイアス電圧が３段階で変化する。
【００２８】
従って、第１信号は、ｐ−ｐ値が、例えば、約５００Ｖの高周波を、「弱」に設定された約−１９０Ｖでバイアスすれば、約＋６０Ｖから約−４４０Ｖの間で振幅する信号となる。この信号は、一部がマイナス電位となる。また、ｐ−ｐ値が約５００Ｖの高周波を「強」に設定された約−４３０Ｖでバイアスすれば、約−１８０Ｖから約−６８０Ｖの間で振幅する信号となる。この信号は、全部がマイナス電位となる。
更に、第２信号は、ｐ−ｐ値が、例えば、約６５０Ｖの高周波を、「弱」に設定された約−１９０Ｖでバイアスすれば、約＋１３５Ｖから約−５１５Ｖの間で振幅する信号となる。この信号は、一部がマイナス電位となる。また、ｐ−ｐ値が約６５０Ｖの高周波を「強」に設定された約−４３０Ｖでバイアスすれば、約−１０５Ｖから約−７５５Ｖの間で振幅する信号となる。この信号は、全部がマイナス電位となる。
【００２９】
報知手段２８は、図１に示すメインマット３１およびパッド３３に内蔵された電界発生用配線による電波を受けて、電界発生用配線からの電波の発生を報知する機能を有している。本実施の形態では、図２に示す報知手段２８は、アンテナ２８ａで受けた電波に基いてセンサ用ＬＥＤ２３８を発光させて使用者に報知している。
【００３０】
図１に示すように、電気刺激装置１０には、刺激付与用部材３０として、三種類が準備されている。刺激付与用部材３０は、メインマット３１、サブマット３２およびパッド３３を備えている。
【００３１】
メインマット３１は、床に配置して使用者が仰臥した状態となったり、伏臥した状態となったりして使用される。図５に示すメインマット３１は、長辺が約２ｍ、短辺が約１ｍの長方形状に形成されている。メインマット３１（刺激付与用部材３０）は、表地となる柔らかい素材により形成された袋状部（図示せず）の内部に、配線（電界発生用配線Ｌ１と発熱用配線Ｌ２）が内蔵された不織布による長方形状のシート部３０ａが収納される。シート部３０ａは、２枚のシートから形成され、その間に電界発生用配線Ｌ１と発熱用配線Ｌ２とが配置されている。電界発生用配線Ｌ１と発熱用配線Ｌ２との配線方向に沿って縫い目３０ｂが施されることで、電界発生用配線Ｌ１と発熱用配線Ｌ２とは、シート部３０ａに内蔵され、保持されている。
【００３２】
電界発生用配線Ｌ１は、メインマット３１のコネクタ３１ａ（図１参照）からシート部３０ａの一方の長辺３１ｍ側へ入り、他方の長辺３１ｎ側との間で２回往復した後に、大きく反対の短辺３１ｓ側に延びている。電界発生用配線Ｌ１は、更に、他方の長辺３１ｎ側との間で１回往復して戻った後に、他方の長辺３１ｎ側に延びて、端部が自由端となっている。
発熱用配線Ｌ２は、コネクタ３１ａから他方の長辺３１ｎ側に延びた後に、反対の短辺３１ｓ側に延びている。そして、発熱用配線Ｌ２は、一方の長辺３１ｍ側と他方の長辺３１ｎ側との間で蛇行するように往復しながらコネクタ３１ａに戻るように形成されている。
【００３３】
サブマット３２は、メインマット３１と同様に、床に配置して使用者が仰臥した状態となったり、伏臥した状態となったりして使用される。サブマット３２は、長辺が約１．８ｍ、短辺が約６０ｃｍの長方形状に形成されたものとすることができる。サブマット３２の構造は、メインマット３１とサイズが異なるだけで、電界発生用配線Ｌ１と発熱用配線Ｌ２とを有するメインマット３１の構造と同じであるため、説明は省略する。
【００３４】
パッド３３は、使用者が手に持って体に当てたり、バンドにより体に固定したりして、使用される。パッド３３は、例えば、長辺が約２０ｃｍ、短辺が１０ｃｍの長方形状に形成されたものとすることができる。パッド３３の構造は、メインマット３１とサイズが異なるだけで、電界発生用配線Ｌ１と発熱用配線Ｌ２とを有するメインマット３１の構造と同じであるため、説明は省略する。パッド３３は、図１に示すように、接続用ケーブルが取り外せない構造であり、直接、電界発生用配線Ｌ１と発熱用配線Ｌ２とに接続される。
【００３５】
第１コネクタＣＮ１および第２コネクタＣＮ２は、同形状に形成されている。第１コネクタＣＮ１および第２コネクタＣＮ２は、５ピンの雌端子を有するコネクタである。第１コネクタＣＮ１および第２コネクタＣＮ２には、逆差し防止用の切り込みが形成されている。
【００３６】
接続用ケーブル４０は、２本のケーブル４１と、ケーブル４１の一方の端部に設けられ、第１コネクタＣＮ１または第２コネクタＣＮ２と嵌合する本体側コネクタ４２と、ケーブル４１の他方の端部に設けられ、刺激付与用部材３０のコネクタと嵌合する使用者側コネクタ４３とにより形成されている。なお、刺激付与用部材３０の中でも、パッド３３は、接続ケーブルが、直接接続されているため、パッド３３側のコネクタは省略されている。
【００３７】
以上のように構成された本発明の実施の形態に係る電気刺激装置１０の動作および使用状態を図面に基づいて説明する。
なお、装置本体２０の第１コネクタＣＮ１には、メインマット３１が接続され、第２コネクタＣＮ２には、パッド３３が接続されているものとする。そして、使用者は、メインマット３１に仰臥した状態で、パッド３３を腹部にベルトで固定して使用している。
【００３８】
まず、使用者により、電源スイッチ２１ａが投入されることで、電源供給手段２１から各手段に電源が供給され、通電状態となる。
【００３９】
次に、使用者は、「高周波」と表記された、第１信号強度設定用スイッチ２２４と第２信号強度設定用スイッチ２２６とを押下して、第１信号強度表示用ＬＥＤ２３３と第２信号強度表示用ＬＥＤ２３５とを確認しながら、電界発生用配線への第１信号および第２信号の強度（電圧値）を設定する。例えば、第１信号強度設定用スイッチ２２４が押下される度に、オフ、弱、中、強と、段々と強度が上がり、もう１回、第１信号強度設定用スイッチ２２４が押下されるとオフに戻る。
【００４０】
同様にして、使用者は、「遠赤」と表記された、第１温熱強度設定用スイッチ２２５と第２温熱強度設定用スイッチ２２７とを押下して、第１温熱強度表示用ＬＥＤ２３４と第２温熱強度表示用ＬＥＤ２３６とを確認しながら、発熱用配線Ｌ２での温度を設定する。例えば、第１温熱強度設定用スイッチ２２５が押下される度に、オフ、弱、中、強と、段々と強度が上がり、もう１回、第１温熱強度設定用スイッチ２２５が押下されるとオフに戻る。
【００４１】
次に、使用者は、「イオン」と表記された、マイナス電位強度設定用スイッチ２２８を押下して、マイナス電位強度表示用ＬＥＤ２３７を確認しながら、電界発生用配線への第１信号および第２信号のバイアス電圧の強度を設定する。例えば、マイナス電位強度設定用スイッチ２２８が押下される度に、弱、中、強と、段々と強度が上がり、もう１回、マイナス電位強度設定用スイッチ２２８が押下されると弱に戻る。
【００４２】
睡眠しながら電気刺激装置１０を使用する場合には、「おやすみモード」の下方に「入／切」と表記された睡眠時用スイッチ２２２を押下する。そうすることで、タイマー用表示部２３９に英単語ＳＬＥＥＰを意味する「ＳＬ」が表示され、８時間の連続作動となる。また、タイマーを時間で設定する場合には、「＋」ボタンまたは「−」ボタンで構成された時間設定用スイッチ２２３を押下する。そうすることで、３０分、６０分、９０分および「おやすみモード」を示す８時間から設定することができる。
【００４３】
このように設定できると、使用者は、「スタート／ストップ」と表記された始動停止指示用スイッチ２２１を押下して、電気刺激装置１０を始動させる。
始動停止指示用スイッチ２２１の押下により、図２に示す制御手段２４が、操作手段２２を操作して設定された内容に基づいて、第１コネクタ用刺激発生手段２５、第２コネクタ用刺激発生手段２６およびバイアス手段２７に強度の指示を出力する。
【００４４】
第１信号発生手段２５１では、第１周波数で振幅が変動する信号を発振し、制御手段２４からの「オフ」、「弱」、「中」または「強」を示す指示に基づいて信号強度を調整する。「オフ」の場合は直流となる。
そして、第１信号発生手段２５１は、バイアス手段２７からのバイアス電圧により、マイナス電圧にバイアスされ、第１信号を、第１コネクタＣＮ１に出力する。
【００４５】
また、第２信号発生手段２６１では、第２周波数の信号を発振し、制御手段２４からの「オフ」、「弱」、「中」または「強」を示す指示に基づいて信号強度を調整する。「オフ」の場合は直流となる。
そして、第２信号発生手段２６１は、バイアス手段２７からのバイアス電圧により、マイナス電圧にバイアスされた第２信号を、第２コネクタＣＮ２に出力する。
【００４６】
第１温熱発生手段２５２では、制御手段２４からの「オフ」、「弱」、「中」または「強」を示す指示に基づいて、通電電流を第１コネクタＣＮ１に出力して、発熱用配線を加熱する。なお、「オフ」の場合、電流は流れない。
また、第２温熱発生手段２６２では、制御手段２４からの「オフ」、「弱」、「中」または「強」を示す指示に基づいて、通電電流を第２コネクタＣＮ２に出力して、発熱用配線を加熱する。
【００４７】
第１コネクタＣＮ１に接続されたメインマット３１では、第１周波数（例えば、６０ｋＨｚから７０ｋＨｚの正弦波。）の第１信号が電界発生用配線Ｌ１へ流れ、高電圧が電界発生用配線Ｌ１に印加されることで、電界発生用配線Ｌ１から高周波の電界を発生させることができる。そうすることで、使用者の全身に刺激を与えるため良好な効果を与えることができる。また、第１信号がマイナス電位にバイアスされているため、電界発生用配線Ｌ１によりマイナスの電界が発生する。
【００４８】
その中に使用者が横たわることで、高周波の電界の効果として、身体組織の血管拡張作用や血行促進作用を与えることができ、同時に、マイナス電位の効果として、皮膚の触覚や圧を感じる感覚受容器を刺激し、血液の循環と体の調節機能に働きかけることができる。
【００４９】
このように、高電圧の第１信号を、電界発生用配線Ｌ１に印加し、マイナス電位にバイアスすることで、使用者は、高周波電界による高周波効果と、マイナス電位による電位効果とを同時に得ることができる。更に、第１信号の振幅が変動することで、使用者は、マッサージ効果も同時に得ることができる。
【００５０】
また、第１温熱発生手段２５２からの電流が、メインマット３１の発熱用配線Ｌ２に流れることで、発熱用配線Ｌ２が発熱して使用者を温めると共に、発熱用配線Ｌ２からの遠赤外線が使用者の体内を温める。そうすることで、使用者の血行を促進し、発汗を促進することができる。
【００５１】
また、第２コネクタＣＮ２に接続されたパッド３３では、第２周波数（例えば、３００ｋＨｚから４００ｋＨｚの正弦波。）の第２信号が電界発生用配線Ｌ１へ流れ、高電圧が電界発生用配線Ｌ１に印加される。第１周波数より高い第２周波数の第２信号による電界が、使用者の腹部に刺激を与えため、身体組織の血管拡張作用や血行促進作用を与え、また、第１信号と同様に、第２信号がマイナス電位にバイアスされているため、電界発生用配線Ｌ１によるマイナスの電界により、電界作用が皮膚の触覚や圧を感じる感覚受容器を刺激し、血液の循環と体の調節機能に働きかける。
【００５２】
また、第２温熱発生手段２６２からの電流が、パッド３３の発熱用配線Ｌ２に流れることで、発熱用配線Ｌ２が発熱して使用者を温めると共に、発熱用配線Ｌ２からの遠赤外線が使用者の体内を温める。そうすることで、使用者の腹部を集中的に温めることができる。更に、第２信号の振幅が変動することで、使用者はマッサージ効果も同時に得ることができる。
【００５３】
以上のように本実施の形態に係る電気刺激装置１０によれば、第１信号発生手段２５１が発生する第１信号および第２信号発生手段２６１が発生する第２信号が、異なる周波数であり、それぞれがマイナス電位にバイアスされている。そのため、異なる２種類の周波数による作用効果を、一人に使用者が同時に得たり、二人の使用者が別々に得たりすることができ、同時にマイナスの電界による作用効果も得ることができる。また、第１コネクタＣＮ１と第２コネクタＣＮ２とが同形状に形成されているため、使用者は第１信号による作用効果を得ようと思えば、メインマット３１のような刺激付与用部材を第１コネクタＣＮ１に、第２信号による作用効果を得ようと思えばメインマット３１を第２コネクタＣＮ２に接続することで、簡単に切り替えることができる。従って、電気刺激装置１０は、構成がシンプルでありながらも、様々な効果を得ることができる付加価値の高い装置とすることができる。
【００５４】
また、第１信号および第２信号がマイナス電位にバイアスされるときに、全部がマイナス電位となる信号であれば、使用者は第１信号および第２信号全体によるマイナス電位での効果を得ることができ、一部がマイナス電位となる信号であればマイナス電位となる信号の効果を得つつ、プラス電位での効果も同時に得ることができる。
【００５５】
第１信号や第２信号により電界発生用配線Ｌ１から発生する電界は目に見えないため、使用者は、電界発生用配線Ｌ１による電界の発生を実感し難い。そこで、使用者が、例えば、メインマット３１やパッド３３を装置本体２０へ近づけたり、反対に装置本体２０をメインマット３１やパッド３３に近づけたり、または、メインマット３１に寝た使用者が装置本体２０に触ったり、パッド３３を装着した状態の使用者が装置本体２０に触ったりする。そうすることで、電界発生用配線Ｌ１からの電波が報知手段２８のアンテナ２８ａにより受信され、センサ用ＬＥＤ２３８が点灯する。そのため、使用者は電界発生用配線Ｌ１から電界が発生していることを、視覚的に認識することができるので、装置本体２０、メインマット３１およびパッド３３が正常に動作していることを確認することができる。なお、本実施の形態では、センサ用ＬＥＤ２３８が点灯することで、使用者に報知しているが、報知手段は音声により報知するようにしてもよい。
【００５６】
第１コネクタＣＮ１にメインマット３１が接続され、第２コネクタＣＮ２にパッド３３が接続されていたが、第１コネクタＣＮ１と第２コネクタＣＮ２とが同じ形状であるため、第２信号による効果を全身で得たい場合には、メインマット３１を第２コネクタＣＮ２に接続して使用することができる。また、反対に、第１信号による効果を局部的に得たい場合には、パッド３３を第１コネクタＣＮ１に接続して使用することができる。
【００５７】
本実施の形態では、第１コネクタＣＮ１にメインマット３１が接続され、第２コネクタＣＮ２にパッド３３が接続されており、使用者一人の全身と体の一部分とに、同時に施術していたが、例えば、第１の使用者が第１コネクタＣＮ１にメインマット３１を接続して、第１の使用者がメインマット３１に寝た状態で使用し、第２の使用者が第２コネクタＣＮ２にサブマット３２を接続して、第２の使用者がサブマット３２に寝た状態で使用するようにしてもよい。そうすることで二人の使用者が同時に、高周波効果と、マイナス電位での電位効果と、マッサージ効果と、温熱効果とを同時に得ることができる。
【００５８】
なお、本実施の形態では、第１信号発生手段２５１または第２信号発生手段２６１の両方が、第１信号および第２信号の振幅を変動させる機能を備えているが、第１信号発生手段２５１または第２信号発生手段２６１のいずれか一方でもよい。しかし、振幅を変動させることで使用者は良好なマッサージ効果を得ることができるため、両方がその機能を備えていることが好ましい。
また、本実施の形態では、第１温熱発生手段２５２または第２温熱発生手段２６２の両方を備えていたが、いずれか一方でもよい。
【産業上の利用可能性】
【００５９】
本発明の電気刺激装置は、効果的に使用者に電気刺激を付与することができるため、美容器具や治療器に好適である。
【符号の説明】
【００６０】
１０  電気刺激装置
２０  装置本体
２０ａ  右側面
２０ｂ  天面
２０ｃ  左側面
２１  電源供給手段
２１ａ  電源スイッチ
２２  操作手段
２２１  始動停止指示用スイッチ
２２２  睡眠時用スイッチ
２２３  時間設定用スイッチ
２２４  第１信号強度設定用スイッチ
２２５  第１温熱強度設定用スイッチ
２２６  第２信号強度設定用スイッチ
２２７  第２温熱強度設定用スイッチ
２２８  マイナス電位強度設定用スイッチ
２３  表示手段
２３１  始動状態表示用ＬＥＤ
２３２  「おやすみモード」用ＬＥＤ
２３３  第１信号強度表示用ＬＥＤ
２３４  第１温熱強度表示用ＬＥＤ
２３５  第２信号強度表示用ＬＥＤ
２３６  第２温熱強度表示用ＬＥＤ
２３７  マイナス電位強度表示用ＬＥＤ
２３８  センサ用ＬＥＤ
２３９  タイマー用表示部
２４  制御手段
２５  第１コネクタ用刺激発生手段
２５１  第１信号発生手段
２５２  第１温熱発生手段
２６  第２コネクタ用刺激発生手段
２６１  第２信号発生手段
２６２  第２温熱発生手段
２７  バイアス手段
２８  報知手段
２８ａ  アンテナ
２９  筐体
３０  刺激付与用部材
３１  メインマット
３１ａ  コネクタ
３１ｍ，３１ｎ  長辺
３１ｓ  短辺
３２  サブマット
３３  パッド
３０ａ  シート部
３０ｂ  縫い目
４０  接続用ケーブル
４１  ケーブル
４２  本体側コネクタ
４３  使用者側コネクタ
ＣＮ１  第１コネクタ
ＣＮ２  第２コネクタ
Ｌ１  電界発生用配線
Ｌ２  発熱用配線
【図１】
0006654099.tif 000002
【図２】
0006654099.tif 000003
【図３】
0006654099.tif 000004
【図４】
0006654099.tif 000005
【図５】
0006654099.tif 000006